(57)【要約】【課題】斜面の景観性を向上するようにした斜面の緑化工法を提供することを目的とする。【解決手段】アンカー２０類を介して地山に定着した支圧版１０でもって支圧した斜面６０において、支圧版１０の露出面１１を金網３０で被覆し、前記金網３０を斜面６０に固定し、前記金網３０が隠れるまで植生基盤材５０を吹き付け、前記植生基盤材５０に植生する。金網３０は厚さを有する厚層金網とし、金網３０の相対向する両端辺に枠線３４を差し込み、各枠線３４に沿って金網３０をスライド可能とする。【選択図】　　　　図１
2004027574.tif 000002
【特許請求の範囲】
【請求項１】
アンカー類を介して地山に定着した支圧版でもって支圧した斜面において、
支圧版の露出面を金網で被覆し、
前記金網を斜面に固定し、
前記金網が隠れるまで植生基盤材を吹き付け、
前記植生基盤材に植生することを特徴とする、
斜面の緑化工法。
【請求項２】
請求項１に記載する斜面の緑化工法において、
前記金網が厚層金網であることを特徴とする、
斜面の緑化工法。
【請求項３】
請求項１または請求項２に記載する斜面の緑化工法において、
前記金網の相対向する両端辺に枠線を差し込み、各枠線に沿って金網をスライド可能としたことを特徴とする、
斜面の緑化工法。
【請求項４】
請求項１乃至請求項３のいずれかに記載する斜面の緑化工法において、
前記金網を１枚または複数枚使用して支圧版の露出面を被覆することを特徴とする、
斜面の緑化工法。
【請求項５】
請求項１乃至請求項４のいずれかに記載する斜面の緑化工法において、
前記支圧版は、コンクリート製または鋼板製、鋳鉄製、樹脂製の剛性構造体であることを特徴とする、
斜面の緑化工法。
【発明の詳細な説明】
【０００１】
【発明の属する技術分野】
本発明は、アンカー類を介して地山に定着した支圧版でもって支圧した斜面を緑化する、斜面の緑化工法に関するものである。
【０００２】
【従来の技術】
斜面の安定を図るため、コンクリート製または鋼板製の各種形状の支圧版を斜面に配置し、アンカー類で斜面に定着する斜面安定化工法が知られている。
支圧版を用いる現場は一般的に勾配がきつく、支圧版は２０センチメートルから５０センチメートルの厚さがあり、斜面から露出し、景観を損なう場合が多い。支圧版と支圧版との間（空地部）を緑化しても植生が分断され、植物が衰退する。
空地部を樹林化する方法も考えられるが、勾配がきつく、一時的な緑化は可能でも長期にわたる緑化が困難なことと、植生可能な植物の種類が限られてしまうといった問題がある。
また、繊維の入った植生基盤材を吹き付ける方法もあるが、高価で一般的でない。
【０００３】
【発明の目的】
本発明は上記した点に鑑みてなされたもので、斜面の景観性を向上するようにした斜面の緑化工法を提供することを目的とする。
また本発明は、施工性がよく低コストで緑化できる斜面の緑化工法を提供することを目的とする。
本発明は、上記目的のうち少なくとも一つを達成するようにしたものである。
【０００４】
【課題を解決するための手段】
上記のような目的を達成するために、本発明の斜面の緑化工法は、アンカー類を介して地山に定着した支圧版でもって支圧した斜面において、支圧版の露出面を金網で被覆し、前記金網を斜面に固定し、前記金網が隠れるまで植生基盤材を吹き付け、前記植生基盤材に植生することを特徴とする。
【０００５】
ここで前記金網を厚層金網とすることができ、また金網の相対向する両端辺に枠線を差し込み、各枠線に沿って金網をスライド可能とすることができる。さらに前記金網を１枚または複数枚使用して支圧版の露出面を被覆することができる。
また、前記支圧版は、コンクリート製または鋼板製、鋳鉄製、樹脂製の剛性構造体とすることができる。
【０００６】
【発明の実施の形態１】
以下図面を参照しながら本発明に係る一実施の形態について説明する。
先ず、施工に使用する主要な機材について説明する。
【０００７】
＜イ＞支圧版１０（図１、図３）
支圧版１０は公知のコンクリート製または鋼板製等からなり、アンカー２０の反力を得て斜面６０を支圧する剛性構造体である。
支圧版１０の全体形状は、柱状、板状、箱状、十字状等様々であり、本例では十字状の支圧版１０の中央にアンカー２０を挿入し、公知の定着具２１で定着した場合について示す。要は支圧版１０の下面に地山をおさえる支圧面１２が形成してあればよい。なお、符号１１は支圧版１０が斜面６０から露出する露出面、２２は定着具２１を保護するキャップである。
【０００８】
＜ロ＞金網３０（図１、図２）
金網３０は、支圧版１０の露出面１１を被覆できる大きさの金網で、素線３１を通常のひし形金網より厚さ方向に幅を持たせて編成した厚層金網が好適である。
本例では、平面から見た金網３０の全体形状が矩形を呈する場合について示す。図２に示すように、金網３０を構成する素線３１の端部３２を公知の水平ナックル加工や完全ナックル加工などで端部処理を行っておくとよい。また、端部処理を行う必要のない相対向する一対の両端辺側には、その折曲部３３に夫々枠線３４、３４を差し込み、各枠線３４、３４の両端部３５、３５を折り曲げてかしめておく。
このように構成した金網３０は、網目の間隔が詰まることで容易に変形することができるとともに、枠線３４に沿って金網３０の自由移動が可能である。
【０００９】
金網３０は容易に変形可能なため、支圧版１０の横幅や高さが変化していても支圧版１０の形状に沿って変形し、十分フィットする。
金網３０を支圧版１０に対応する大きさとすることにより、金網３０をコンパクト化することができ、格納しやすく、現地までの運搬性が極めてよいものとなる。
金網３０は、表面をメッキしたり、ビニルを被覆するなどして耐腐食性を有するようにするのが好ましい。
【００１０】
本発明の緑化工法は、斜面６０上に設置されている支圧版１０に金網３０を被覆し、植生基盤材５０を吹き付けるものである。以下、施工方法を説明する。
【００１１】
＜イ＞金網３０の被覆（図１、図３）
多数の金網３０を現地へ運搬し、現地の支圧版１０の形状に合わせて折り曲げる。
本例では十字状の支圧版１０であるため、中央部から十字状に延びる腕の形状に合わせて４枚の金網３０をコの字形に折り曲げて使用する（図１参照）。この場合、金網３０の枠線３４が斜面６０に接するように、枠線３４と略平行する線に沿って金網３０を折り曲げる。
支圧版１０は、その中央部から先端に向かうにしたがって高さが徐々に低く形成されているが、これに合わせて金網３０は、網目の間隔を詰めながら変形するので、支圧版１０の連続した露出面１１に沿った形態で金網３０を被覆することができる。
金網３０の斜面６０に接する折曲端３６に、アンカーピン４０などを適宜打ち込んで、金網３０がずれないように斜面６０へ固定する。
【００１２】
このようにして、４枚の金網３０をコの字形に折り曲げて順次被覆する。
支圧版１０の中央部は、中央部の形状に合わせた別の金網３０を被覆し、金網３０からキャップ２２が突出するように金網３０に孔を開口し、定着力の調整が可能になるようにしておく。あるいは、中央部は金網３０の被覆を省略してもよい（図３参照）。
【００１３】
＜ロ＞植生基盤材５０の吹き付け（図４）
金網３０へ向けて植生基盤材５０を吹き付ける。
植生基盤材５０は、土砂を主体とし、これに必要に応じて種子や肥料成分を混入した緑化用の材料である。
金網３０が隠れるまで植生基盤材５０を吹き付け、金網３０とともに支圧版１０全体を植生基盤材５０で覆い隠す。
支圧版１０の露出面１１を覆った金網３０の厚み分で植生基盤材５０を厚層に支持できる。また、金網３０は吹き付けた植生基盤材５０との絡みがよく、植生基盤材５０を確実に安定して保持できる。特に金網３０が変形して網目が詰まった箇所は植生基盤材５０の保持性がさらに高くなる。
【００１４】
＜ハ＞植生
吹き付けられた植生基盤材５０は、金網３０により崩落することなく支持されて、やがて植物５１が育成し、緑化される（図１参照）。支圧版１０の箇所のみの部分緑化施工であるため、経済的である。
【００１５】
これまでの植生工法は露出地盤を対象としているもので、既設のコンクリートブロックや鋼板の表面に適用することが難しいが、本発明によれば金網３０を被覆して植生基盤材５０を吹き付けるだけでよいため、簡単に施工でき、既設の支圧版１０のコンクリート面や鋼板の露出面の緑化を図ることができる。
本発明では植生基盤材５０を吹き付けるだけでなく、客土の施工を完了した後に、種子や植物を植え付ける方法など各種の植生方法が採用できる。
また本発明は、吹付モルタルや吹付コンクリート等の保護層で覆われている斜面の緑化にも適用できる。
【００１６】
【発明の実施の形態２】
これまでは複数枚の金網３０で支圧版１０を被覆したが、１枚の金網３０で被覆してもよい（図５参照）。
本例の支圧版１０は鋼板製からなり、全体形状が八角形を呈している。この支圧版１０の露出面全体を覆うことができる大きさに金網３０を形成する。図５では金網３０を矩形に形成しているが、支圧版１０の形状に合わせて八角形に形成してもよい。
また、支圧版１０をコンクリート製、鋼製、鋳鉄製、樹脂製などからなる厚みがある各種多角形、円形、楕円形に構成することができ、金網３０も支圧版１０の形状に応じて各種多角形、円形、楕円形の形状とすることができる。図６に八角形の支圧版１０を、八角形をした金網３０で被覆した状態を示す。
金網３０は自由に変形可能であるため、折り曲げることなくそのまま支圧版１０の露出面を被覆することができる。なお、キャップ２２は広がった網目の隙間から突出させることができる。
実施の形態１と同様に植生基盤材５０を金網３０が隠れるまで吹き付け、植生基盤材５０に植物５１を植生し、緑化することができる。
また、本発明は、斜面６０に新規に設置した支圧版１０を対象に施工してもよい。
【００１７】
【本発明の効果】
本発明は、以上説明したようになるから次のような効果を得ることができる。
＜イ＞支圧版の表面がそのまま露呈することなく緑化されるので、自然な色彩となり、斜面の景観を向上することができる。
＜ロ＞斜面全体を緑化する場合と比べて、支圧版の箇所のみを緑化する部分施工のため、工期が短くコストが安い。
＜ハ＞既設の支圧版を緑化するだけでなく、新設の支圧版も緑化することができる。
＜ニ＞厚層金網のため変形が容易で、支圧版の露出面に沿って被覆することができ、施工性がよい。
＜ホ＞厚みを持たせて編成した厚層金網であるので、吹き付けた植生基盤材との絡みがよく、植生基盤材を確実に安定保持できる。
【図面の簡単な説明】
【図１】支圧版に金網を被覆し、植生状態を示す斜視図。
【図２】金網の一部を示す平面図。
【図３】斜面に設置した支圧版を金網で被覆した状態を示す断面図。
【図４】植生基盤材を吹き付け、植生状態を示す断面図。
【図５】他の実施例を示す斜視図。
【図６】他の実施例を示す斜視図。
【符号の説明】
１０・・・支圧版
１１・・・露出面
２０・・・アンカー
３０・・・金網
３１・・・素線
３２・・・端部
３４・・・枠線
３５・・・端部
４０・・・アンカーピン
５０・・・植生基盤材
６０・・・斜面
【図１】
2004027574.tif 000003
【図２】
2004027574.tif 000004
【図３】
2004027574.tif 000005
【図４】
2004027574.tif 000006
【図５】
2004027574.tif 000007
【図６】
2004027574.tif 000008